(57)【要約】      （修正有）【課題】引戸の全開姿勢を保持する引戸の全開ストッパー装置に関するものであり、引戸の自閉力に対応して係合部材の係合力の調整を容易に行う事ができる、引戸の全開ストッパー装置を提供する。【解決手段】建物用鉄骨に固定される引戸枠にレール部材が設けられ、開閉自在で自閉可能にレール部材に吊り下げられた引戸６を全開状態に保持する引戸の全開ストッパー装置において、全開ストッパー装置は、引戸に取付けられたストッパーガイド部材８２と、引戸の全開時、ストッパーガイド部材に圧接する、引戸枠等の固定側部材に取付けられたストッパー部材８１から構成され、ストッパー部材は、ストッパーガイド部材に対する圧接力を、取付け位置を変えることなく調整可能としたものである。【選択図】図１１
2010065448.tif 000002
【特許請求の範囲】
【請求項１】
建物用鉄骨に固定される引戸枠にレール部材が設けられ、開閉自在で自閉可能にレール部材に吊り下げられた引戸を全開状態に保持する引戸の全開ストッパー装置において、全開ストッパー装置は、引戸に取付けられたストッパーガイド部材と、引戸の全開時、ストッパーガイド部材に圧接する、引戸枠等の固定側部材に取付けられたストッパー部材から構成され、ストッパー部材は、ストッパーガイド部材に対する圧接力を、取付け位置を変えることなく調整可能としたことを特徴とする引戸の全開ストッパー装置。
【請求項２】
建物用鉄骨に固定される引戸枠にレール部材が設けられ、開閉自在で自閉可能にレール部材に吊り下げられた引戸を全開状態に保持する引戸の全開ストッパー装置において、全開ストッパー装置は、引戸に取付けられたストッパーガイド部材と、引戸の全開時、ストッパーガイド部材に出入り方向から圧接する、引戸枠等の固定側部材に取付けられたストッパー部材から構成され、ストッパー部材は、ストッパーガイド部材に対する圧接力を、取付け位置を変えることなく出入り方向から調整可能としたことを特徴とする引戸の全開ストッパー装置。
【請求項３】
建物用鉄骨に固定される引戸枠にレール部材が設けられ、開閉自在で自閉可能にレール部材に吊り下げられた引戸を全開状態に保持する引戸の全開ストッパー装置において、引戸の閉鎖状態で、引戸の位置する側を出入口側とし、引戸の開放状態で、引戸の位置する側を戸袋側となし、少なくとも戸袋側の表面が、壁面と面一とした化粧ボードで覆われ、
全開ストッパー装置は、引戸の引き残し部の上面に設けられたストッパーガイド部材と、
引戸の全開状態で、ストッパーガイド部材に圧接する、引戸枠等の固定側部材の出入口側に取付けられたストッパー部材から構成され、ストッパー部材は、ストッパーガイド部材に対する圧接力を取付け位置を、変えることなく出入口側から調整可能としたことを特徴とする引戸の全開ストッパー装置。
【請求項４】
建物用鉄骨に固定される引戸枠にレール部材が設けられ、開閉自在で自閉可能にレール部材に吊り下げられた引戸を全開状態に保持する引戸の全開ストッパー装置において、引戸の閉鎖状態で、引戸の位置する側を出入口側とし、引戸の開放状態で、引戸の位置する側を戸袋側となし、少なくとも戸袋側の表面が、壁面と面一とした化粧ボードで覆われ、
全開ストッパー装置は、引戸の引き残し部の上面に設けられたストッパーガイド部材と、
引戸の全開状態で、ストッパーガイド部材に出入り方向から圧接する、引戸枠等の固定側部材の出入口側に取付けられたストッパー部材から構成され、ストッパー部材は、ストッパーガイド部材に対する圧接力を、取付け位置を変えることなく出入口側の出入り方向から調整可能としたことを特徴とする引戸の全開ストッパー装置。
【請求項５】
ストッパーガイド部材は、戸尻側端部から戸先側にかけてストッパー部材に近づく方向に緩やかに傾斜する案内傾斜面と、案内傾斜面の戸先側端部から戸先側にかけてストッパー部材の反対方向に急激に傾斜するストッパー面を有し、ストッパー部材は、引戸の所定開放位置より、前記ストッパーガイド部材の案内傾斜面に圧接し、常に圧接方向に弾性力が付与された圧接部材と、圧接部材を圧接方向に移動可能に保持し、圧接部材に圧接力を付与する弾性体を支持する保持筒と、保持筒の端部に螺合し、弾性体の弾性力を調節する調節部材を有している事を特徴とする、請求項１、又は、請求項２、又は、請求項３、又は、請求項４に記載の引戸の全開ストッパー装置。        
【発明の詳細な説明】
【技術分野】
【０００１】
本発明は、引戸の全開姿勢を保持する引戸の全開ストッパー装置に関するものである。
【背景技術】
【０００２】
従来、引戸の閉鎖状態で、引戸の位置する側を出入口側とし、引戸の開放状態で、引戸の位置する側を戸袋側となし、少なくとも戸袋側の表面が、壁面と面一とした化粧ボードで覆われてなる引戸の全開ストッパー装置は、引戸の上端面の戸先側に第１係合部材を設け、引戸を全開すると第１係合部材に上方から係合する第２係合部材を、引戸の開口部に配置した上下長手の縦枠か、又は、引戸の固定レールを取付ける為の吊支部材に設けていた。（例えば、特許文献１参照。）
そして、第２係合部に上下に長いネジ挿通穴を形成し、取付け位置を上下方向で変えることで、第１係合部材と第２係合部材の係合力を調整していた。
このため、引戸の自閉力に対応して、第１係合部材と第２係合部材の係合力を調節するのは大変煩雑な作業であった。
特に、長年の使用による、磨耗、変形によって引戸の自閉力が叙々に変化していくので、
これに対応して、第１係合部材と第２係合部材の係合力を使用者で調節するのは困難であった。
【０００３】
【特許文献１】特許第３５３８５６２号公報（第５頁、第９図（Ｂ））
【発明の開示】
【発明が解決しようとする課題】
【０００４】
本発明は、従来の問題点に鑑みて  引戸の自閉力に対応して係合部材の係合力の調整を容易に行う事ができる、引戸の全開ストッパー装置を提供することを課題とする。
【課題を解決するための手段】
【０００５】
そこで、上記課題を解決する為、本発明が第１の手段として構成したところは、建物用鉄骨に固定される引戸枠にレール部材が設けられ、開閉自在で自閉可能にレール部材に吊り下げられた引戸を全開状態に保持する引戸の全開ストッパー装置において、全開ストッパー装置は、引戸に取付けられたストッパーガイド部材と、引戸の全開時、ストッパーガイド部材に圧接する、引戸枠等の固定側部材に取付けられたストッパー部材から構成され、ストッパー部材は、ストッパーガイド部材に対する圧接力を、取付け位置を変えることなく調整可能としたものである。
【０００６】
次に、第２の手段として構成したところは、建物用鉄骨に固定される引戸枠にレール部材が設けられ、開閉自在で自閉可能にレール部材に吊り下げられた引戸を全開状態に保持する引戸の全開ストッパー装置において、全開ストッパー装置は、引戸に取付けられたストッパーガイド部材と、引戸の全開時、ストッパーガイド部材に出入り方向から圧接する、引戸枠等の固定側部材に取付けられたストッパー部材から構成され、ストッパー部材は、ストッパーガイド部材に対する圧接力を、取付け位置を変えることなく出入り方向から調整可能としたものである。
【０００７】
次に第３の手段として構成したところは、建物用鉄骨に固定される引戸枠にレール部材が設けられ、開閉自在で自閉可能にレール部材に吊り下げられた引戸を全開状態に保持する引戸の全開ストッパー装置において、引戸の閉鎖状態で、引戸の位置する側を出入口側とし、引戸の開放状態で、引戸の位置する側を戸袋側となし、少なくとも戸袋側の表面が、壁面と面一とした化粧ボードで覆われ、全開ストッパー装置は、引戸の引き残し部の上面に設けられたストッパーガイド部材と、引戸の全開状態で、ストッパーガイド部材に圧接する、引戸枠等の固定側部材の出入口側に取付けられたストッパー部材から構成され、ストッパー部材は、ストッパーガイド部材に対する圧接力を、取付け位置を変えることなく出入口側から調整可能としたものである。
【０００８】
次に第４手段として構成したところは、建物用鉄骨に固定される引戸枠にレール部材が設けられ、開閉自在で自閉可能にレール部材に吊り下げられた引戸を全開状態に保持する引戸の全開ストッパー装置において、引戸の閉鎖状態で、引戸の位置する側を出入口側とし、引戸の開放状態で、引戸の位置する側を戸袋側となし、少なくとも戸袋側の表面が、壁面と面一とした化粧ボードで覆われ、全開ストッパー装置は、引戸の引き残し部の上面に設けられたストッパーガイド部材と、引戸の全開状態で、ストッパーガイド部材に出入り方向から圧接する、引戸枠等の固定側部材の出入口側に取付けられたストッパー部材から構成され、ストッパー部材は、ストッパーガイド部材に対する圧接力を、取付け位置を変えることなく出入口側の出入り方向から調整可能としたものである。
【０００９】
次に第５の手段として構成したところは、前記第１の手段として構成したところ、又は、前記第２の手段として構成したところ、又は前記第３の手段として構成したところ、又は前記第４の手段として構成したところに加え、ストッパーガイド部材は、戸尻側端部から戸先側にかけてストッパー部材に近づく方向に緩やかに傾斜する案内傾斜面と、案内傾斜面の戸先側端部から戸先側にかけてストッパー部材の反対方向に急激に傾斜するストッパー面を有し、ストッパー部材は、引戸の所定開放位置より、前記ストッパーガイド部材の案内傾斜面に圧接し、常に圧接方向に弾性力が付与された圧接部材と、圧接部材を圧接方向に移動可能に保持し、圧接部材に圧接力を付与する弾性体を支持する保持筒と、保持筒の端部に螺合し、弾性体の弾性力を調節する調節部材を有しているものである。
【発明の効果】
【００１０】
請求項１に記載の発明によると、ストッパー部材は、ストッパーガイド部材に対する圧接力を取付け位置を変えることなく調整可能としたので、使用者がその都度、自閉力に対応して簡単に全開姿勢の維持力の調整を行う事ができる。
【００１１】
請求項２に記載の発明によると、ストッパーガイド部材に対するストッパー部材の圧接力を、取付け位置を変えることなく、出入り方向から調整可能としたものであるから、調節作業スペースを広く確保することが可能で、作業を容易に行う事ができる。
【００１２】
請求項３に記載の発明によると、戸袋側の表面が、壁面と面一とした化粧ボードで覆われていても、ストッパーガイド部材は引戸の引き残し部の上面に設けられ、ストッパー部材は、出入口側に設けられているので、戸袋側に点検孔や作業扉を設ける必要がなく、使用者がその都度、自閉力に対応して簡単に全開姿勢の維持力の出入口側で行う事ができる。
【００１３】
請求項４に記載の発明によると、請求項３に記載の発明の効果に加え、ストッパー部材の圧接力の調整を、出入り方向から調整可能としたものであるから、調節作業スペースを広く確保することが可能で、作業を容易に行う事ができる。
【００１４】
請求項５に記載の発明によると、前記効果に加え、ストッパーガイド部材の案内傾斜面とストッパー面に、ストッパー部材の圧接部材を圧接する構成としたので、引戸が全開位置に近づくと、案内傾斜面によって、開放スピードにブレーキがかかり、急激な開放による引戸のはね返りを防止することができる。ストッパー面に所定の傾斜角度を設けているので、引戸を全開時から閉鎖するときに必要以上の初期閉鎖力を必要とせず、開閉操作を円滑に行うことができる。
弾性体によって圧接部材に圧接力を付与し、弾性体の弾性力を調節する調節部材を保持筒の端部に螺合させる構成であるので、圧接力の調整は、保持筒に螺合させる調節部材の位置をかえるだけでよく、作業も容易で、微妙な範囲で調節が可能であり、引戸の高品質な開閉操作を得ることができる。
【発明を実施するための最良の形態】
【００１５】
建物用鉄骨に固定される引戸枠にレール部材が設けられ、開閉自在で自閉可能にレール部材に吊り下げられた引戸を全開状態に保持する引戸の全開ストッパー装置において、引戸の閉鎖状態で、引戸の位置する側を出入口側とし、引戸の開放状態で、引戸の位置する側を戸袋側となし、少なくとも戸袋側の表面が、壁面と面一とした化粧ボードで覆われ、全開ストッパー装置は、引戸の引き残し部の上面に設けられたストッパーガイド部材と、引戸の全開状態で、ストッパーガイド部材に出入り方向から圧接する、引戸枠等の固定側部材の出入口側に取付けられたストッパー部材から構成され、ストッパーガイド部材は、戸尻側端部から戸先側にストッパー部材の方向に緩やかに傾斜する案内傾斜面と、案内傾斜面の戸先側端部から戸先側にかけてストッパー部材の反対方向に案内傾斜面より急激に傾斜するストッパー面を有し、ストッパー部材は、引戸の所定開放位置より、前記ストッパーガイド部材の案内傾斜面に圧接し、常に圧接方向に弾性力が付与された圧接部材と、圧接部材を圧接方向に移動可能に保持し、圧接部材に圧接力を付与する弾性体を支持する保持筒と、保持筒の端部に螺合し、弾性体の弾性力を調節する調節部材を有しており、ストッパーガイド部材に対するストッパー部材の圧接力を、ストッパー部材の取付け位置を変えることなく、出入口側の出入り方向から調整可能としたものである。
【実施例】
【００１６】
以下、第１実施例を添付図面に基づいて詳述する。
図１において、符号１は引戸枠を示している。
引戸枠１は、図１から図４に示すように、建物用鉄骨１１・・・にブラケット１２・・・を介して固定された戸尻側縦枠１３および戸先側縦枠１４と、戸尻側縦枠１３と戸先側縦枠１４の上端間に、建物用鉄骨１１・・・にブラケット１２・・・を介して配設された上枠１５を有している。
【００１７】
そして、戸尻側縦枠１３と戸先側縦枠１４間で、上枠１５の室内側（実施例では点検側、いわゆる、引戸等の吊り込み側）と室外側の両面に上端が固定され、下端部が床面に埋め込まれた室内側中枠３と室外側中枠３０が、室内側と室外側に所定間隔を有して配設されている。
以下、戸尻側縦枠１３と室内側中枠３及び室外側中枠３０間を戸袋側、戸先側縦枠１４と室内側中枠３及び室外側中枠３０間を出入口側、室内側中枠３と室外側中枠３０の方向を出入り方向、戸尻側縦枠１３と戸先側縦枠１４の方向を開閉方向と云う。
尚、実施例では、便宜上、点検側を室内側として説明しているが、設置場所に対応して、点検側を室外側としても良い事は云うまでもない。
【００１８】
図１、図２、図３において、符号２は、上枠１５の室外側内面にネジ止め連結されているレール取付材を示している。
符号６は、レール部材５に吊り下げられた引戸を示し、符号１６は、戸袋側の床面全幅にわたって固定されたベース材を示し、符号１６４は、ベース材１６の出入口側端部に、ガイドローラー１７が回転自在に設けられ、 室外側中枠３０、室内側中枠３間でやや出入口側に突出して取付けられたガイドローラー取付部材を示している。
図１、図２、図３、図４において、符号４・・・は、戸袋側の室内外側の両面上下方向に所定間隔を有して配設された下地桟を示している。
図３、図４において符号７は、上枠１５の点検出入口側に取付られる室内側ランマ下地パネルを示し、符号１９は、上枠１５の出入口側に設けられる室外側ランマ下地パネルを示している。
【００１９】
そして、上記戸尻側縦枠１３、戸先側縦枠１４、上枠１５、レール部材５が取付られたレール取付材２、ベース材１６、室内側中枠３、室外側中枠３０、下地桟４・・・、室外側ランマ下地パネル１９、室内側ランマ下地パネル７（以上の部材が引戸枠１等の固定部材となる。）が、内装仕上げ（化粧ボード、クロス等の張付け）の行われるまでに施工され
、内装仕上げが終了した後、室内側ランマ下地パネル７の一部を取外して、引戸６がレール部材５に吊り込まれ、引戸６の摺動確認、閉鎖スピードの調整作業、レール取付材２の連結固定等が行われる。
【００２０】
以下、各部材について詳述する。
戸尻側縦枠１３は横断面略コ字形に形成され、建物用鉄骨１１の出入口側面から所定寸法離間した位置に立設され、横向きL字形のブラケット１２・・・と建物用鉄骨１１が溶接されたあと、鉛直姿勢の状態でブラケット１２と溶接され、床面仕上げ時に下端部が床面に埋め込まれる。符号１３８は、引戸６が全開した時、引戸６の戸尻側端面が当接する、出入口側面に取付られた緩衝部材を示している。
【００２１】
戸先側縦枠１４は、図４に示す如く、建物側鉄骨１１側の上下方向に所定間隔を有して固定用部材１４１・・・が設けられ、出入口側方向で室内側に突出して室内側の化粧ボード１００の出入り口側端面を隠蔽する室内側ボード閉塞突部１４７と、出入口側方向で室外側に突出して室外側の化粧ボード１００の出入口側端面を隠蔽する室外側ボード閉塞突部部１４６と、室内側ボード閉塞突部１４７と室外側ボード閉塞突部１４６間に位置し、上部が室内側ボード閉塞突部１４７と室外側ボード閉塞突部１４６より上方に突出し、引戸６の戸先側端部が位置する部分に閉鎖用凹部１４８が上下方向に渡って設けられた戸当たり部より扁平な略コ字形に形成されている。
【００２２】
上枠１５は、図３に示す如く、断面下向きコ字形の上枠基板１５４と、上枠基板１５４の下面に連結された断面逆L字形の上枠室外側部材１５５より構成されている。
上枠室外側部材１５５の室内側にはレール取付材２が連結され、室外側の下半部には室外側ランマ下地パネル１９が取付けられている。
【００２３】
戸先側縦枠１４と上枠１５は上記のように構成され、戸尻側縦枠１３が前述にようにして立設された後、上枠１５の戸先側を戸先側縦枠１４にネジ止めして、上枠１５と戸先側縦枠１４を仮組みした状態で、上枠１５と戸尻側縦枠１３を同様にして仮組みする。
次に、上記の状態を維持しながら戸先側のブラケット１２・・・及び上枠１５側のブラケット１２・・・を介して、戸先側縦枠１４の固定用部材１４１・・・及び上枠１５の上面基板１５４を建物用鉄骨１１と溶接連結する。
【００２４】
ベース材１６は、図５、に示す如く、戸袋側の床面全幅に位置する固定面１６１と、固定面１６１の室内側（点検側）及び室外側（固定側）の端部に形成された立ち上がり面１６２、１６２と、立ち上がり面１６２、１６２から内方に突出して形成されたＬ字形の下地ボード受け面１６３、１６３と、固定面１６１の出入り口側端部に、出入り口側に突出し、扉６の下端面に形成された嵌合溝６０内に嵌合するガイドローラー１７を、その上面で回転自在に保持するガイドローラー取付部材１６４が固着されている。
そして、ガイドローラー取付部材１６４の出入り口側端部はアンカーボルトにて床面に固定されると共に、ベース材１６の出入口側端部は室内側中枠３、室外側中枠３０の内面と連結され、さらに、戸尻側端部が戸尻側縦枠１３と連結され床面に固定される。
【００２５】
室内側中枠３は、図４に示す如く、上端部が上枠１５の室内側にネジ止め連結され、内面側に位置する補強枠３１と、補強枠３１の出入り口側の端部から室内側に位置する室内側外側枠３６より構成され、下端部がベース材１６と連結され、床面仕上げ時に下端が床面に埋め込まれて立設される。
【００２６】
室外側中枠３０は、図４に示す如く、上端部が上枠１５の室外側とネジ止め連結され、内面側に位置する室外側補強枠３０１と、室外側補強枠３０１の出入り口側の端部から室外側に位置する室外側外側枠３０６より構成され、下端部がベース材１６と連結され、床面仕上げ時に下端が床面に埋め込まれて立設される。
すなわち、室外側中枠３０は、上部が上枠１５と上下2箇所で連結され、下端が床面に埋め込まれて立設されているので、引戸の揺れによる上枠１５の室内側への捩れを防止する補強材の機能を兼ね備えている。
【００２７】
下地桟４は、図５に示すように、基板表面部４１と、基板表面部４１の上下端部をL字形に折り曲げた上下フランジ部４２、４３より構成され、基板表面部４１の戸先側端部と戸尻側端部が戸尻側縦枠１３と室内側中枠３及び室外側中枠３０にネジ止め連結され上下方向に所定間隔を有して配設されている。
【００２８】
室外側ランマ下地パネル１９は、図３に示す如く、室外側表面基板１９１の上端部に形成されたL字形の上部連結用突片１９２と、室外側表面基板１９１の下端部に室外側に突出して形成された略コ字形の室外側化粧突部１９３より形成されている。
すなわち、室外側ランマ下地パネル１９は室外側中枠３０と戸先側縦枠１４の上部間に位置して取付けられ、室外側化粧ボード１００が貼り付けられた状態で、室外側化粧突部１９３だけが露出することとなる。
【００２９】
室内側ランマ下地パネル７は、図３に示すように、基板７２と、基板７２の下端部に分離可能に設けられた室内側化粧突部７３より構成されている。
そして、基板７２は、上枠１５にネジ止め連結される、上端に形成された上端連結突片７１と、室内側化粧ボード１００の下端縁の下面を支持隠蔽する基板側下突片７２１より構成されている。
【００３０】
室内側化粧突部７３は、図３に示すように、室内側の上方から基板側下突片７２１の先端部分に載置され、室内側化粧ボード１００に張られたクロスの下縁を隠蔽する載置用突片７６と、戸先側縦枠１４と室内側中枠３の上端部出入口側内面に取付けられた突部連結座７０、７０に下面側が化粧ネジ７００、７００にて連結され、出入口上部の室内側を閉塞するL字形の室内側閉塞部７８より構成されている。
【００３１】
突部連結座７０、７０は対向した同形に構成されているので一方側についてのみ説明する。
突部連結座７０は、図１２、図１３に示すように、室内側中枠３の上端部出入口側内面にネジ止め連結される連結用壁７０１と、連結用壁７０１の上端部に出入口側に突出して連設され、上面が室内側下地パネル７の基板側下突片７２１の下面に当接し、突部連結座７０が回動するのを阻止すると共に、全開ストッパー装置８のストッパー部材８１が取り付けられる上部突出壁７０２と、連結用壁７０１の上端部に出入口側に突出して連設され、室内側閉塞部７８の下面がネジ止め連結される連結用螺孔７０３を有する下部突出壁７０４より構成されている。
【００３２】
室内側ランマ下地パネル７と、突部連結座７０、７０は、上記のように形成され、上端連結突片７１が上枠１５にネジ止めされた状態で、基板７２の上方に下地ボード１０１が貼り付けられ、されに基板７２の室内側の表面に室内側化粧ボード１００が貼り付けられ、室外側ランマ下地パネル１９の下室外側表面基板１９１の上方に下地ボード１０１が貼り付けられ、さらに、下室外側表面基板１９１の室外側表面に室外側化粧ボード１００が貼り付けられ、下地桟４・・・の上下フランジ４２、４３、ベース材１６の下地ボード受面１６３、上枠１５の室内側垂下突片１５２及び室外側垂下突片１５３間等に下地ボード１０１・・・が貼り付けられ、下地ボード１０１・・・の表面の戸袋側に化粧ボード１００が貼り付けられた状態で、出入口以外の表面が建物の壁面と同じ化粧用ボード１００で面一に覆われた後、さらに室内側にはクロス等が貼り付けられることとなる。
【００３３】
すなわち、戸先側縦枠１４の室内側ボード閉塞突部１４６と、室外側ボード閉塞突部１４７と、室内側中枠突部３２と室外側中枠突部３０２と、室内側化粧突部７３と室外側化粧突部１９３が化粧ボード１００より外側に突出してあらわれることとなる。
そして、最終仕上げが施された（レール取付材２、引戸６等がとりつけられた）後、室内側化粧突部７３の載置用突片７６を基板側下突片７２１に外側上方から載置し、突部連結座７０、７０に室内側閉塞部７８が下面からネジ止め連結されて出入口の上部に室内側化粧突部７３が着座自在に設けられる。
【００３４】
レール取付材２は、図３に示すように、レール部材５が室内側に連結されるレール部材連結壁を有し、上枠１５（上枠室外側部材１５５）の室内側に、出入口側と戸袋側のほぼ全幅にわたって、戸先側が下がる状態（レール部材５が前下がりの状態となるよう）に傾斜調節可能に連結される。
【００３５】
レール部材５は、レール取付材２のほぼ全幅に渡って配設され、図３に示すように、断面略C字形で、レール取付材２よりやや短目のレール補強部材５００と、レール補強部材５００の室内側にネジ止め連結される断面略C字形で、レール補強部材５００とほぼ同長の室外側メンバー５１と、室外側メンバー５１の略３分の２程度の長さのボールリテーナに回転自在に保持されたボールを介して、室外側メンバー５１に摺動自在に保持される、室外側メンバーの略３分の１程度の長さの移動側メンバー５４より構成され、移動側メンバー５４の室内側には、移動側メンバー５４と同程度の長さの吊り下げ用金具５５が固着されている。
【００３６】
吊り下げ用金具５５は、図３に示すように、移動側メンバー５４の室内側に固着される連結固着部５５１と、連結固着部５５１の下端部に連設された室内側が開口するコ字形の吊り下げ支持部５５２より構成されている。
そして、吊り下げ支持面５５２の開閉方向側両端部には、室内側が開口する吊り下げボルト挿通孔が形成されている。
【００３７】
吊り下げ用金具５５に吊り下げられる引戸６は、前記吊り下げボルト挿通孔に対応する位置で、上端面に吊り下げボルト６１、６１が設けられたパネル形状をなし、戸先側の上面に全開ストッパー装置８のストッパー部材８１に対応してストッパーガイド部材８２が
取付けられ、下端面の開閉方向に前記ガイドローラー１７が嵌合する嵌合溝６０が形成され（図３に示す。）、引戸６の戸先側端面には、引戸の閉鎖状態で戸先側縦枠１４の閉鎖用凹部１４８内に位置する戸当たり部材６００（図４に示す。）が、戸先側縦枠１４方向に突出して設けられている。
符号３００は（図１に示す。）、引戸６の戸先側端部（引き残し部）で、室内側（点検側）、室外側（固定側）に設けられた取手を示している。
【００３８】
吊り下げボルト６１は、螺軸部とボルト頭部よりなり、室内側化粧突部７３が取外された状態の出入口の室内側より、吊り下げボルト６１、６１の螺軸部が、吊り下げ支持部５５２の吊り下げボルト挿通孔を挿通して、ボルト頭部が吊り下げ用支持部５５２に保持され、必要に応じて頭部をスパナで回動して引戸６を所定の高さに位置させた後、ボルト保持体６５、６５が吊り下げ用支持部５５２に室内側より連結されて、レール部材５に吊り下げ用金具５５を介して吊り下げられる。
【００３９】
さらに、引戸６を吊り下げた状態で、レール取付材２の傾斜角度を調節し、引戸６の所望の自閉スピードを得る。
次に、全開ストッパー装置８、ブレーキ装置、フリーストッパー装置等のオプション部材が室内側から取付けられるが、実施例の引戸の全開ストッパー装置８以外のオプション部材は公知（市販）のもの使用しているので説明は省略する。
【００４０】
全開ストッパー装置８は、図２及び図６〜図１１に示すように、室内側中枠３の上端部出入口側内面に取付けられた突部連結座７０の上部突出壁７０２に下方からネジ止めされるストッパー部材８１と、ストッパー部材８１に対応して引戸６の戸先側の上面に取り付けられたストッパーガイド部材８２より構成されている。
【００４１】
ストッパー部材８１は、突部連結座７０の上部突出壁７０２に連結するための連結孔８１０・・・を有する連結翼片８１１と、連結翼片８１１の開閉方向中央部下面で出入り方向に連設された保持筒８３と、保持筒８３の内部に保持され室外側の端部が保持筒８３より突出する圧接部材８４と、圧接部材８４に圧接力を付与し、保持筒８３に保持される弾性体８５と、保持筒８３の室外内側端部に螺合し、弾性体８５の弾性力を調節する調節部材８６と、調節部材８６を固定する固定部材８７より構成されている。
【００４２】
保持筒８３は、連結翼片８１１と合成樹脂材にて一体に成型され、室内側が開口し、室外側に閉鎖壁８３１を有する有底円筒形で、閉鎖壁８３１の中心部に開閉方向に扁平な方形状の挿通孔８３２が形成され、室内側端部内面に調整用螺孔８３３が形成されている。
【００４３】
圧接部材８４は、前記保持筒８３の挿通孔８３２より室外側（ストッパーガイド部材８２の方向）方向に突出する、平面略三角形の圧接突片８４１と、内部に弾性体８５を嵌合保持する出入り方向に渡って形成された弾性体嵌合凹部８４２を有し、保持筒８３の内部で出入方向に移動可能に保持される有底円筒形の移動筒８４３より合成樹脂材にて一体に成型されている。
そして、移動筒８４３の室外側端面が保持筒８３の閉鎖壁８３１の対面に当接して、移動筒８４３が保持筒８３より室外側に抜け出すのが阻止された状態で、圧接突片８４１が挿通孔８３２よりストッパーガイド部材８２の方向（室外側方向）に突出している。
【００４４】
弾性体８５はコイルバネよりなり、弾性体嵌合凹部８４２内で室外側の一端が、移動筒８４３の室外側端面の内面に当接し、室外側の端面が保持筒８３の調整用螺孔８３３に螺合した調節部材８６に当接した状態で支持され、常に、圧接突片８４１が挿通孔８３２より室外側方向（ストッパーガイド部材８２の方向）に突出するよう圧接力を圧接部材８４に付与している。
【００４５】
調節部材８６は、外周面に前記保持筒８３の調整用螺孔８３３に螺合する調節用螺軸部８６１と、室内側端面に操作凹部８６２と室外側端面に弾性体８５の端部が嵌合する室内側嵌合凹部８６３を有している。
そして、操作凹部８６２より調節部材８６を回動して、当接部材８６を室外方向に移動させると、弾性体８５を圧縮して、圧接部材８４により強い圧接力を付与し、調節部材８６を反対方向に回動して、調節部材８６を室内方向に移動させると、圧接部材８４の圧接力を軽減させることとなる。
そして、レール部材５の傾斜による引戸６の自閉力に対応して、調節部材８６にて圧接部材８４の圧接力を調節した後、固定部材８７を保持筒８３の調整用螺孔８３３に螺合し、調節部材８４の室内側に当接させて調節部材８６の所望の位置に固定する。
固定部材８７は、外周面に前記保持筒８３の調整用螺孔８３３に螺合する螺軸部８７１と、室内側端面に操作凹部８７２を有している。
【００４６】
ストッパーガイド部材８２は、引戸６の引き残し部（戸先側端部）上面にネジ止め連結される、断面Ｌ字形のガイド連結金具８２０の室内側で開閉方向に渡って設けられており、
戸尻側端部から戸先側にかけて、ストッパー部材８１に近づく方向に緩やかに傾斜する案内傾斜面８２１と、案内傾斜面８２１の戸先側端部から戸先側にかけてストッパー部材８１の反対方向に案内傾斜面８２１より大きく傾斜するストッパー面８２２を有している。
【００４７】
すなわち、本発明の全開時ストッパー装置８は、上記のように構成され、引戸６が全開される時、圧接部材８４の圧接突片８４１の室外側端部が、ストッパーガイド部材８２の案内傾斜面８２１の戸尻側端部に圧接し、引戸６が全開状態に近づくにしたがって、圧接部材８４は案内傾斜面８２１に沿って、弾性体８５を圧縮しながら室内側に移動する。
そして、引戸６を全開した時（引戸６の戸尻側端面が戸尻側縦枠１３の緩衝部材１３８に衝突した時）、圧接突片８４１の室外側端部が案内傾斜面８２１の戸先側端部を通過し、
同時に圧縮されていた弾性体８５によって、圧接突片８４１はストッパー面８２２に圧接し、引戸６の全開状態を維持する。
【００４８】
しかしながら、引戸６の全開スピード、あるいは自閉力（自閉スピード）、によっては弾性体８５の弾性が弱い（圧接突片８４１のストッパー面８２２に対する圧接力が弱い）と
引戸６の全開時のはね返り、あるいは、自閉力に負けて、ストッパー面８２２が圧接突片８４１を移動させて、引戸６が自閉する場合がある。
又、弾性体８５の弾性が強い（圧接突片８４１のストッパー面８２２に対する圧接力が強い）と、引戸６を手動で閉鎖させる初期閉鎖時に、ストッパー面８２２が圧接突片８４１を移動させる為の過剰な力を必要とし、引戸６の円滑な開閉動作を得ることができず好ましくない。
【００４９】
このため、従来では、それぞれの取付け位置を何度も変更して調整していたが、本発明では、調節部材を回動して調節部材の螺合位置をかえるだけで、引戸６の通常の開放スピードでははね返る事がなく、引戸６を手動で閉鎖させる初期閉鎖時にも必要以上の力を必要としない、適切な弾性体の弾撥力（圧接部材８４の圧接力）を得ることができる。
又、ストッパー部材８１の圧接部材８４のストッパーガイド８２に対する圧接方向を出入り方向としているので、高さ方向の寸法を極力小さく設定する事ができるので、前記、突部連結座７０、７０に取り付けられる室内側化粧突部７３の高さ寸法を極力小さく形成できるので、出入口側の見栄えを良くする事ができる。
【図面の簡単な説明】
【００５０】
【図１】本発明の室内側（点検側）からの正面図
【図２】化粧ボードと、室内側下地パネルを取外した状態での本発明の室内側からの正面図
【図３】図１のA―A線拡大断面図
【図４】図１のB―B線一部拡大断面図
【図５】図１のC―C線拡大断面図
【図６】ストッパー部材の斜視図
【図７】ストッパー部材の要部拡大縦断面図
【図８】ストッパー部材の要部拡大横断面図
【図９】引戸が全開状態に近づいたときのストッパー部材とストッパーガイド部材の関係を示す説明図
【図１０】引戸の全開途中のストッパー部材とストッパーガイド部材の関係を示す説明図
【図１１】引戸の全開時のストッパー部材とストッパーガイド部材の関係を示す説明図
【図１２】突部連結座７０と室内側化粧突部７３とストッパー部材の関係を示す要部断面図
【図１３】突部連結座の斜視図
【符号の説明】
【００５１】
１        引戸枠
１１      建物用鉄骨
１００    化粧ボード
２        レール取付材
５        レール部材
６        引戸
８        全開時ストッパー装置
８１      ストッパー部材
８２      ストッパーガイド部材
８２１    案内傾斜面
８２２    ストッパー面
８３      保持筒
８４      圧接部材
８５      弾性体
８６      調節部材
【図１】
2010065448.tif 000003
【図２】
2010065448.tif 000004
【図３】
2010065448.tif 000005
【図４】
2010065448.tif 000006
【図５】
2010065448.tif 000007
【図６】
2010065448.tif 000008
【図７】
2010065448.tif 000009
【図８】
2010065448.tif 000010
【図９】
2010065448.tif 000011
【図１０】
2010065448.tif 000012
【図１１】
2010065448.tif 000013
【図１２】
2010065448.tif 000014
【図１３】
2010065448.tif 000015